(57)【要約】【課題】サッシ枠に対する面材支持枠の取付位置を、サッシ枠の室外側にしたいとの要望や、サッシ枠の室内側にしたいとの要望などに答えることができながら、コストの向上を招かないサッシユニットとする。【解決手段】建物躯体６Ａ，６Ｂに取り付けられるサッシ枠１０と、このサッシ枠１０に取り付けられる面材支持枠２０と、を備える。サッシ枠１の内側片１Ａは、室内外方向に関する所定範囲Ｌを、肉厚部１ａとする。そして、この肉厚部１ａのいずれに対しても、面材支持枠２１をビス３０で固定しうるようにする。【選択図】図４
2005023575.tif 000002
【特許請求の範囲】
【請求項１】
建物躯体に取り付けられるサッシ枠と、このサッシ枠に取り付けられる面材支持枠と、が備わるサッシユニットであって、
前記サッシ枠に対する前記面材支持枠の室内外方向に関する取付可能位置が、少なくとも２箇所以上ある、ことを特徴とするサッシユニット。
【請求項２】
建物躯体に取り付けられるサッシ枠と、このサッシ枠の内側片に取り付けられる面材支持枠と、が備わるサッシユニットであって、
前記サッシ枠内側片は、室内外方向に関する所定範囲が、前記面材支持枠を取付可能な形状とされている、ことを特徴とするサッシユニット。
【請求項３】
建物躯体に取り付けられるサッシ枠と、このサッシ枠の内側片に取り付けられる面材支持枠と、が備わるサッシユニットであって、
前記サッシ枠内側片は、室内外方向に関する所定範囲が、肉厚部とされ、この肉厚部のいずれに対しても、前記面材支持枠をビス止め可能とされている、ことを特徴とするサッシユニット。
【請求項４】
面材支持枠のサッシ枠との当接面の室外側端部に沿って、液密材が取り付けられている、請求項２又は請求項３記載のサッシユニット。
【請求項５】
サッシ枠は、上下横枠材と左右縦枠材とで構成され、少なくとも前記上横枠材及び前記左右縦枠材は、実質的に同一の横断面を有する、請求項２〜４のいずれか１項に記載のサッシユニット。
【発明の詳細な説明】
【０００１】
【発明の属する技術分野】
本発明は、店舗やビル外壁に取り付けられるサッシユニットに関するものである。特に、半外付け（一部が外壁面より突出する）の鉄骨枠に取り付ける嵌め殺しタイプのサッシユニットに関するものである。
【０００２】
【従来の技術】
この種のサッシユニットとしては、例えば、建物開口部に取り付けられるサッシ枠と、このサッシ枠の内側に取り付けられるガラス等の面材を支持する障子枠等の面材支持枠と、が備わるものがある（例えば、特許文献１参照。）。
このサッシユニットにおいては、サッシ枠に対する面材支持枠の取り付けを、室内外方向に関して特定の位置でのみ、なしうるようになっている。
【特許文献１】
特開平８‐１４４６４４号公報
【０００３】
【発明が解決しようとする課題】
しかしながら、近年では、サッシ枠に対する面材支持枠の取付位置を、サッシ枠の室外側にしたいとの要望や、サッシ枠の室内側にしたいとの要望など、さまざまな要望がよせられている。これらの要望は、美意識の多様化によるものであり、本来的に特定の位置に設定することができるものではない。したがって、これらの要望に対する対処方法としては、コストの向上を妥協しつつ、その都度設計変更をするか、あるいは我慢を強いるしかないのが現状である。
【０００４】
そこで、本発明の主たる課題は、サッシ枠に対する面材支持枠の取付位置を、サッシ枠の室外側にしたいとの要望や、サッシ枠の室内側にしたいとの要望などに応えることができながら、コストの向上を招かないサッシユニットを提供することにある。
【０００５】
【課題を解決するための手段】
上記課題を解決した本発明は、次のとおりである。
＜請求項１記載の発明＞
建物躯体に取り付けられるサッシ枠と、このサッシ枠に取り付けられる面材支持枠と、が備わるサッシユニットであって、
前記サッシ枠に対する前記面材支持枠の室内外方向に関する取付可能位置が、少なくとも２箇所以上ある、ことを特徴とするサッシユニット。
【０００６】
＜請求項２記載の発明＞
建物躯体に取り付けられるサッシ枠と、このサッシ枠の内側片に取り付けられる面材支持枠と、が備わるサッシユニットであって、
前記サッシ枠内側片は、室内外方向に関する所定範囲が、前記面材支持枠を取付可能な形状とされている、ことを特徴とするサッシユニット。
【０００７】
＜請求項３記載の発明＞
建物躯体に取り付けられるサッシ枠と、このサッシ枠の内側片に取り付けられる面材支持枠と、が備わるサッシユニットであって、
前記サッシ枠内側片は、室内外方向に関する所定範囲が、肉厚部とされ、この肉厚部のいずれに対しても、前記面材支持枠をビス止め可能とされている、ことを特徴とするサッシユニット。
【０００８】
＜請求項４記載の発明＞
面材支持枠のサッシ枠との当接面の室外側端部に沿って、液密材が取り付けられている、請求項２又は請求項３記載のサッシユニット。
【０００９】
＜請求項５記載の発明＞
サッシ枠は、上下横枠材と左右縦枠材とで構成され、少なくとも前記上横枠材及び前記左右縦枠材は、実質的に同一の横断面を有する、請求項２〜４のいずれか１項に記載のサッシユニット。
【００１０】
【発明の実施の形態】
以下、本発明の実施の形態を説明する。
本発明のサッシユニットは、建物躯体に取り付けられるサッシ枠と、このサッシ枠に取り付けられる面材支持枠と、が主に備わる。
【００１１】
〔サッシ枠〕
図１に示すように、本実施の形態のサッシ枠１０は、上下横枠材１、２と左右縦枠材３、４とから主になり、ビス止めにより枠組みしうるものである。上横枠材１及び左右縦枠材３、４は、同一型材（横断面同一）からなるものであり、製造コストの削減が図られている。下横枠材２は、例えば、結露の排水路を設けるなどの関係で、横断面が異なるものとなっている。ただし、排水路の形状などによっては、上横枠材１等と同一横断面とすることもできる。同一とすれば、よりいっそう製造コストの削減を図ることができる。
【００１２】
上下横枠材１、２及び左右縦枠材３、４は、施工例を図２及び図３に示すように、それぞれ内側片１Ａ、２Ａ、３Ａ、４Ａ、外側片１Ｂ、２Ｂ、３Ｂ、４Ｂ、室外側片１Ｃ、２Ｃ、３Ｃ、４Ｃ、及び室内側片１Ｄ、２Ｄ、３Ｄ、４Ｄを有し、断面略長方形状の中空構造となっている。
【００１３】
外側片１Ｂ、２Ｂ、３Ｂ、４Ｂには、それぞれ外方に張り出す固定片１Ｅ、２Ｅ、３Ｅ、４Ｅが形成されている。この固定片１Ｅ、２Ｅ、３Ｅ、４Ｅは、鉄骨などからなる躯体６Ａ，６Ｂに、室外側からあてがわれ、室外側からのネジ材７，７…などによって、固定される。これにより、枠組みされたサッシ枠１０が、建物躯体６Ａ，６Ｂに取り付けられることになる。
【００１４】
このようにして取り付けられたサッシ枠１０の外方には、外壁１３が備えられる。また、室内においては、Ｌ字状のブラケット１４により、サッシ枠１０の室内側片１Ｄ、２Ｄ、３Ｄ、４Ｄに対して、内装材１５，１５…が取り付けられている。
【００１５】
ところで、以上の形態によると、隣接する固定片１Ｅ、２Ｅ、３Ｅ、４Ｅの角部には、間隙が形成されることになるため、サッシ枠１０と外壁１３，１３…との間にバックアップ材３１Ｂでバックアップされるシール材３１Ａを施しても、シールが不十分となるおそれがある。そこで、隣接する固定片１Ｅ、２Ｅ、３Ｅ、４Ｅの室外側面に、これらに跨って、ゴム、プラスチック、金属板などのコーナープレート３５をあてがい（図１参照）、シール材３１Ａのバックアップに利用するのが好ましい。
【００１６】
〔面材支持枠〕
面材支持枠とは、例えば、ガラスやパネル等の面材を、サッシ枠に支持（保持）するものであり、例えば、障子枠等を挙げることができる。
【００１７】
図２及び図３に示すように、本実施の形態における面材支持枠２０は、上下横支持枠材２１、２２と左右縦支持枠材２３、２４とから主になる。上横支持枠材２１と下横支持枠材２２とは、同一型材（横断面同一）からなり、また、左縦支持枠材２３と右縦支持枠材２４とも、同一型材（横断面同一）からなる。これにより、製造コストの削減が図られている。上下横支持枠材２１、２２と左右縦支持枠材２３、２４との形状が異なるのは、面材８を嵌め込む必要からであり、同一形状とすることを否定する趣旨ではない。
【００１８】
上下横支持枠材２１、２２は、本体片２１Ｃ、２２Ｃの室外側端部に、内方に張り出す室外側片２１Ａ、２２Ａが、本体片２１Ｃ、２２Ｃの室内側端部に、内方に張り出す室内側片２１Ｂ、２２Ｂが、それぞれ形成されている。室外側片２１Ａ、２２Ａと室内側片２１Ｂ、２２Ｂとは、それぞれ離間しており、ガラス等の面材８の呑み込み溝とされている。
【００１９】
一方、左右縦支持枠材２３、２４は、本体片２３Ｃ、２４Ｃの室外側端部に、内方に張り出す室外側片２３Ａ、２４Ａが、本体片２３Ｃ、２４Ｃの室内側端部に、内方に張り出す室内側片２３Ｂ、２４Ｂが、それぞれ形成されている。室外側片２３Ａ、２４Ａは、押縁９、９の係止部分とされており、押縁９、９と室内側片２３Ｂ、２４Ｂとの間が面材８の呑み込み溝とされている。室内側片２１Ｂ、２２Ｂ、２３Ｂ、２４Ｂ、室外片２１Ａ、２２Ａ、押縁９、９には、それぞれ面材８の支持用ガスケット１１，１１…が取り付けられている。また、下横支持枠材２２の本体片２２Ｃ上には、面材８を支持するためのセッティングブロック１２が設置されている。
【００２０】
さらに、面材支持枠２０のサッシ枠１０との当接面、本実施の形態では本体片２１Ｃ、２２Ｃ、２３Ｃ、２４Ｃの、室外側端部に沿って、ゴム等の弾性部材や、シーリング材、ブチルシートなどからなる液密材２５が取り付けられている。これにより、水等の液体がサッシ枠１０と面材支持枠２０との間を通り、室内に侵入するのが防止される。また、本発明においては、後述するようにサッシ枠に対する面材支持枠の室内外方向に関する取付可能位置が変化するが、液密材の取付位置が、面材支持枠のサッシ枠との当接面の室外側端部に沿う位置となっているので、常に以上の効果（液密性）が保たれる。
【００２１】
なお、液密とは、水等の液体が通らない状態をいう。液体が水の場合、一般には、水密といわれる。
【００２２】
〔面材支持枠の取り付け〕
次に、サッシ枠１０に対する面材支持枠２０の取り付けについて説明する。
本発明においては、サッシ枠に対する面材支持枠の室内外方向（見込み方向）に関する取付可能位置が、少なくとも２箇所以上とされている。
具体的には、例えば、サッシ枠１０の室外側片１Ｃ、２Ｃ、３Ｃ、４Ｃに面材支持枠２０の室外側片２１Ａ、２２Ａ、２３Ａ、２４Ａがそれぞれ沿う取付位置と（図４の（２）参照）、サッシ枠１０の室内側片１Ｄ、２Ｄ、３Ｄ、４Ｄに面材支持枠２０の室内側片２１Ｂ、２２Ｂ、２３Ｂ、２４Ｂがそれぞれ沿う取付位置と（図４の（４）参照）、の２箇所とすることや、これらに加えて、サッシ枠１０の室内外方向中央に面材支持枠２０を取り付けることもできる（図４の（３）参照）３箇所とすること、あるいはそれ以上の複数箇所とすること、等ができる。これにより、コストの向上を招かずに、サッシ枠に対する面材支持枠の取付位置を、サッシ枠の室外側にしたいとの要望や、サッシ枠の室内側にしたいとの要望などに応えることができる。
【００２３】
もっとも、以上のように取付可能位置を、２箇所以上とするとしても、当然、取付可能位置と取付可能位置との間に取り付けたいとの要望が生じ得る。そこで、サッシ枠１０内側片１Ａ，２Ａ，３Ａ，４Ａを、室内外方向に関する所定範囲が、面材支持枠２０を取付可能な形状とするのが好ましい。
【００２４】
具体的には、例えば、図４の（１）に上横枠材１及び上横支持枠材２１を例に示すように、内側片１Ａの室内外方向に関する所定範囲Ｌを、肉厚部１ａとし、この肉厚部１ａのいずれに対しても、上横支持枠材２１をビス３０によって固定しうるようにする。
【００２５】
ここで肉厚部１ａとは、他の部位よりも肉厚に成型された部位である。一般に、サッシ枠１０の各片は、材料費削減、軽量化の観点などから、可能な限り薄く成型されており、ビス３０を介した面材支持枠２０からの負荷に耐えうるようには設計されていない。そこで、肉厚とするものである。
【００２６】
この点、例えば、肉厚とされていない内側片１Ａに図示しない補強板などを取り付けて取付可能形状とし、この取付可能形状部に対して、ビス止め等により面材支持枠２０を取り付けることも考えられる。しかしながら、サッシユニットの構成部品を減らし製造を容易化するという観点や、組立工程を減らし作業の容易化を図るという観点などからは、本実施の形態のように肉厚とする方が好ましい。また、面材支持枠２０の取付容易性という観点からは、内側片１Ａ、２Ａ、３Ａ、４Ａの面材支持枠２０との当接面が平らとなるようにするのが好ましく、本実施の形態では、上下横枠材１、２、左右縦枠材３、４の内空側にそれぞれ突出する肉厚となるようにしている。
【００２７】
サッシ枠１０の内側片１Ａ、２Ａ、３Ａ、４Ａの肉厚部１ａ，１ａ…をどの程度の厚さとするかは、特に限定されない。例えば、サッシ枠の強度、材料コスト、型材の設計容易性などの観点などから、適宜設計することができる。
【００２８】
肉厚とする所定範囲Ｌをいかなる範囲とするかは、特に限定されない。もちろん、所定範囲Ｌが短ければ、材料コストの削減につながり、逆に、所定範囲Ｌが長ければ、材料コストの向上につながるので、両者のバランスの観点から適宜設計することになる。本実施の形態では、図４の（２）に示すように、サッシ枠１０の室外側片１Ｃ、２Ｃ、３Ｃ、４Ｃと面材支持枠２０の室外側片２１Ａ、２２Ａ、２３Ａ、２４Ａとを揃えることができる位置から、図４の（４）に示すように、サッシ枠１０の室内側片１Ｄ、２Ｄ、３Ｄ、４Ｄと面材支持枠２０の室内側片２１Ｂ、２２Ｂ、２３Ｂ、２４Ｂとを揃えることができる位置までとしている。
【００２９】
なお、本実施の形態では、所定範囲Ｌにおいて、内側片１Ａ、２Ａ、３Ａ、４Ａを連続的に肉厚としているが、内側片１Ａ、２Ａ、３Ａ、４Ａは、断続的に肉厚とする形態も考えられる。断続的に肉厚とした形態は、前述した「サッシ枠に対する面材支持枠の室内外方向に関する取付可能位置が、２箇所以上とされている」形態には含まれるが、「内側片１Ａ、２Ａ、３Ａ、４Ａの室内外方向に関する所定範囲Ｌを、肉厚とする」形態に含まれない。
【００３０】
【発明の効果】
以上のとおり、本発明によれば、サッシ枠に対する面材支持枠の取付位置を、サッシ枠の室外側にしたいとの要望や、サッシ枠の室内側にしたいとの要望などに応えることができながら、コストの向上を招かないサッシユニットとなる。
【図面の簡単な説明】
【図１】サッシ枠の正面図である。
【図２】本実施の形態のサッシユニットを建物躯体に取り付けた状態の縦断面図である。
【図３】本実施の形態のサッシユニットを建物躯体に取り付けた状態の横断面図である。
【図４】サッシ枠と面材支持枠との取付関係を示す説明図である。
【符号の説明】
１ａ…肉厚部、６Ａ，６Ｂ…建物躯体、８…面材、１０…サッシ枠、２０…面材支持枠。
【図１】
2005023575.tif 000003
【図２】
2005023575.tif 000004
【図３】
2005023575.tif 000005
【図４】
2005023575.tif 000006